(57)【要約】【課題】本発明は、簡単な構造で、繰り出されてゆくロール紙に一定のテンションを付与することができるロール紙供給装置および記録装置を提供する。【解決手段】ロール紙ＰをコアＰＣに巻回したロール体ＰＰに対し、ロール紙Ｐを繰出し可能に支持する繰出し軸５２および軸受部５８と、ロール体ＰＰの外周部端面に接触し、ロール紙Ｐの繰出しに伴うロール体ＰＰの回転を制動する固定側制動部６５Ａおよび可動側制動部６５Ｂと、ロール紙Ｐの繰出しに伴って減径するロール体ＰＰに対応し、固定側制動部６５Ａおよび可動側制動部６５Ｂを径方向に移動させる径方向移動部６６と、を備えたものである。【選択図】図３
2015030545.tif 000002
【特許請求の範囲】
【請求項１】
ロール紙をコアに巻回したロール体に対し、前記ロール紙を繰出し可能に支持するロー
ル体支持部と、
前記ロール体の外周端部に接触し、前記ロール紙の繰出しに伴う前記ロール体の回転を
制動する回転制動部と、
前記ロール紙の繰出しに伴って減径する前記ロール体に対応し、前記回転制動部を径方
向に移動させる径方向移動部と、を備えたことを特徴とするロール紙供給装置。
【請求項２】
前記回転制動部は、
前記ロール体の幅方向の一方の端部に接触すると共に、前記ロール体の軸方向に固定さ
れて設けられた固定側制動部と、
前記ロール体の幅方向の他方の端部に接触すると共に、前記軸方向に可動するように設
けられた可動側制動部と、
前記固定側制動部との間に前記ロール体を挟持するように、前記可動側制動部を付勢す
る挟持付勢部と、を有していることを特徴とする請求項１に記載のロール紙供給装置。
【請求項３】
前記固定側制動部および前記可動側制動部は、それぞれ、
前記ロール体の外周部端面に転接するローラーを含む、トルクリミッターを有している
ことを特徴とする請求項２に記載のロール紙供給装置。
【請求項４】
前記ローラーは、
前記ロール体の外周部端面に転接する第１ローラーと、
前記ロール体の外周面に転接し且つ前記第１ローラーの径よりも大きい径の第２ローラ
ーと、で構成されていることを特徴とする請求項３に記載のロール紙供給装置。
【請求項５】
前記回転制動部は、前記固定側制動部および前記可動側制動部を支持する制動支持部を
、更に有し、
前記径方向移動部は、
前記制動支持部を上下径方向にスライド可能に支持する径方向ガイドを有し、
前記回転制動部は、前記径方向ガイドに案内され自重により前記径方向に移動すること
を特徴とする請求項２ないし４のいずれかに記載のロール紙供給装置。
【請求項６】
前記ロール体支持部は、
前記ロール体の前記コアが固定された支持軸部と、
前記支持軸部を回転可能に且つ軸方向にスライド可能に軸支する軸受部と、を有してい
ることを特徴とする請求項２ないし５のいずれかに記載のロール紙供給装置。
【請求項７】
ロール紙をコアに巻回したロール体に対し、前記ロール紙を繰出し可能に支持するロー
ル体支持部と、
前記ロール体の外周部端面に接触し、前記ロール紙の繰出しに伴う前記ロール体の回転
を制動する回転制動部と、
前記ロール紙の繰出しに伴って減径する前記ロール体に対応し、前記回転制動部を径方
向に移動させる径方向移動部と、
前記ロール体から繰り出された前記ロール紙に記録処理を行う記録部と、
前記記録処理後の前記ロール紙をロール状に巻き取る巻取り部と、を備えたことを特徴
とする記録装置。
【請求項８】
前記回転制動部は、
前記ロール体の幅方向の一方の端面に接触すると共に、前記ロール体の軸方向に固定さ
れて設けられた固定側制動部と、
前記ロール体の幅方向の他方の端面に接触すると共に、前記軸方向に可動するように設
けられ可動側制動部と、
前記固定側制動部との間に前記ロール体を挟持するように、前記可動側制動部を付勢す
る挟持付勢部と、を有していることを特徴とする請求項７に記載の記録装置。
【請求項９】
前記固定側制動部および前記可動側制動部は、それぞれ、
前記ロール体の外周部端面に転接するローラーを含む、トルクリミッターを有している
ことを特徴とする請求項８に記載の記録装置。
【請求項１０】
前記ローラーは、
前記ロール体の外周部端面に転接する第１ローラーと、
前記ロール体の外周面に接触し且つ前記第１ローラーの径よりも大きい径の第２ローラ
ーと、で構成されていることを特徴とする請求項９に記載の記録装置。
【請求項１１】
前記回転制動部は、前記固定側制動部および前記可動側制動部を支持する制動支持部を
、更に有し、
前記径方向移動部は、
前記制動支持部を上下径方向にスライド可能に支持する径方向ガイドを有し、
前記回転制動部は、前記径方向ガイドに案内され自重により前記径方向に移動すること
を特徴とする請求項８ないし１０のいずれかに記載の記録装置。
【請求項１２】
前記ロール体支持部は、
前記ロール体の前記コアが固定された支持軸部と、
前記支持軸部を回転可能に且つ軸方向にスライド可能に軸支する軸受部と、を有してい
ることを特徴とする請求項８ないし１１のいずれかに記載の記録装置。
【発明の詳細な説明】
【技術分野】
【０００１】
本発明は、ロール紙供給装置および記録装置に関するものである。
【背景技術】
【０００２】
従来、この種のロール紙供給装置として、ロール紙を支持するスプール軸にトルクリミ
ッターを連結した給紙装置が知られている（特許文献１参照）。
この給紙装置は、ロール紙がセットされるフランジ付のスプール軸と、スプール軸の軸
端に設けた従動ギヤと、頭出しのためにロール紙を逆転させる駆動モーターと、駆動モー
ターの出力軸に設けられた駆動ギヤと、駆動ギヤと従動ギヤとの間に介設した回転力駆動
機構と、を備えている。また、回転力駆動機構は、複数のギヤから成るギヤ列で構成され
、このギヤ列には、ロール紙の逆転時のみ動力を伝達する一方向クラッチと、ロール紙の
回転を制動するトルクリミッターとが組み込まれている。
レジストローラーおよび加圧ローラーによりロール紙が繰り出されると、スプール軸、
従動ギヤおよびギヤ列の一部が回転すると共に、トルクリミッターにより、スプール軸を
介して繰り出されるロール紙にバックテンションが付与される。
【先行技術文献】
【特許文献】
【０００３】
【特許文献１】特開２０１２−１９３０３２号公報
【発明の概要】
【発明が解決しようとする課題】
【０００４】
このような、従来の給紙装置では、ロール紙に安定なテンションを付与するために、ロ
ール紙を支持する部分にトルクリミッターを必要としていた。また、ロール紙を支持する
部分にトルクリミッターを用いる場合、紙送りによりロール紙が徐々に減径してゆくため
、トルクリミッターの制動トルクは一定であっても、ロール紙に付与されるテンションは
、ロール紙径に反比例して変動し、ロール紙に付与されるテンションは、ロール紙径が大
きいときには弱く、小さくなる従って強くなり、一定のテンションを付与することができ
ない。
【０００５】
本発明は、ロール紙を支持する部分にトルクリミッターを用いずに、繰り出されてゆく
ロール紙に一定のテンションを付与することができるロール紙供給装置および記録装置を
提供することを課題としている。
【課題を解決するための手段】
【０００６】
本発明のロール紙供給装置は、ロール紙をコアに巻回したロール体に対し、ロール紙を
繰出し可能に支持するロール体支持部と、ロール体の外周端部に接触し、ロール紙の繰出
しに伴うロール体の回転を制動する回転制動部と、ロール紙の繰出しに伴って減径するロ
ール体に対応し、回転制動部を径方向に移動させる径方向移動部と、を備えたことを特徴
とする。
【０００７】
この構成によれば、ロール紙がロール体から繰り出されてゆくと、ロール体の外周端部
に接触する回転制動部が、回転するロール体に制動力を付与する。これにより、繰り出さ
れてゆくロール紙に、制動力に基づくテンションが付与される。また、繰出しに伴ってロ
ール紙が減径してゆくと、これに応じて、径方向移動部により回転制動部が径方向に移動
するため、ロール体の制動状態が維持される。この場合、回転制動部は、ロール体の外周
端部、すなわちロール紙のロール体からの繰出し起点に、常に接触して制動力を付与する
ため、ロール紙のテンションを安定且つ一定に維持することができる。これにより、繰り
出されてゆくロール紙のジャミングや蛇行（斜行）を抑える効果がある。さらに、ロール
体にロール体支持部を介して制動力を付与する必要がない。
【０００８】
この場合、回転制動部は、ロール体の幅方向の一方の端部に接触すると共に、ロール体
の軸方向に固定されて設けられた固定側制動部と、ロール体の幅方向の他方の端部に接触
すると共に、軸方向に可動するように設けられた可動側制動部と、固定側制動部との間に
ロール体を挟持するように、可動側制動部を付勢する挟持付勢部と、を有していることが
好ましい。
【０００９】
この構成によれば、回転制動部が有する固定側制動部および可動側制動部により、挟持
付勢部を介してロール体を挟持するようにしているため、ロール体と固定側制動部および
可動側制動部が接触している状態を維持することができる。したがって、ロール体に対し
制動力を安定に付与することができる。
【００１０】
この場合、固定側制動部および可動側制動部は、それぞれ、ロール体の外周部端面に転
接するローラーを含む、トルクリミッターを有していることが好ましい。
【００１１】
この構成によれば、トルクリミッターの制動トルクが、ローラーを介してロール体に伝
達されるため、制動力をロス無く、ロール体に付与することができる。すなわち、ロール
体に付与される制動力は、ロール体との摩擦を用いる必要がないため、ロール体に対し制
動力を安定に付与することができる。
【００１２】
この場合、ローラーは、ロール体の外周部端面に転接する第１ローラーと、ロール体の
外周面に接触し且つ第１ローラーの径より大きな径の第２ローラーと、で構成されている
ことが好ましい。
【００１３】
この構成によれば、ロール体の外周部端面における所定の位置に、細径ローラーを転接
させることができる。すなわち、徐々に減径してゆくロール体に対し、ロール紙の所定の
繰出し起点に制動力を付与することができ、ロール紙に付与するテンションを、安定且つ
一定に維持することができる。また、細径ローラーに加え、太径ローラーもロール体の外
周面に転接するため、スリップ等による制動力のロスを防止することができる。
【００１４】
また、回転制動部は、固定側制動部および可動側制動部を支持する制動支持部を、更に
有し、径方向移動部は、制動支持部を上下径方向にスライド可能に支持する径方向ガイド
を有し、回転制動部は、径方向ガイドに案内され自重により径方向に移動することが好ま
しい。
【００１５】
この構成によれば、減径するロール体に対応して回転制動部を径方向に移動させる径方
向移動部を、単純な構造とすることができる。また、減径するロール体に、移動する回転
制動部を無理無く追従させることができる。
【００１６】
一方、ロール体支持部は、ロール体のコアが固定された支持軸部と、支持軸部を回転可
能に且つ軸方向にスライド可能に軸支する軸受部と、を有していることが好ましい。
【００１７】
この構成によれば、ロール体に軸方向の巻ズレが生じている場合、固定側制動部および
可動側制動部を位置基準として、ロール体自体が軸方向に微小移動が可能になる。このた
め、ロール体と回転制動部との接触部分にスリップ等のロスが生じにくくなり、ロール体
に制動力を適切に付与することができる。同様に、ロール体に巻ズレが生じていても、固
定側制動部および可動側制動部を位置基準に、ロール紙を繰り出すことができる。すなわ
ち、固定側制動部および可動側制動部を、ロール紙の幅方向における送りガイドとして機
能させることができる。したがって、ロール体の巻ズレに起因するロール紙の蛇行（斜行
）を抑える効果がある。
【００１８】
本発明の記録装置は、ロール紙をコアに巻回したロール体に対し、ロール紙を繰出し可
能に支持するロール体支持部と、ロール体の外周部端面に接触し、ロール紙の繰出しに伴
うロール体の回転を制動する回転制動部と、ロール紙の繰出しに伴って減径するロール体
に対応し、回転制動部を径方向に移動させる径方向移動部と、ロール体から繰り出された
ロール紙に記録処理を行う記録部と、記録処理後のロール紙をロール状に巻き取る巻取り
部と、を備えたことを特徴とする。
【００１９】
この構成によれば、比較的簡素な構造で、繰り出されてゆくロール紙に一定のテンショ
ンを付与することができるため、ロール体から記録部に送られてゆくロール紙の蛇行（斜
行）を抑える効果がある。したがって、ロール紙のジャミングを抑えると共に、記録位置
に対してロール紙の幅方向位置がずれ難いため、ロール紙の所定の領域に精度良く記録を
行うことができる。また、巻取り位置に対してロール紙の幅方向位置がずれ難いため、巻
取り部において、記録済みのロール紙を安定且つ適切に巻き取ることができる。
【００２０】
この場合、回転制動部は、ロール体の幅方向の一方の端面に接触すると共に、ロール体
の軸方向に固定されて設けられた固定側制動部と、ロール体の幅方向の他方の端面に接触
すると共に、軸方向に可動するように設けられた可動側制動部と、固定側制動部との間に
ロール体を挟持するように、可動側制動部を付勢する挟持付勢部と、を有していることが
好ましい。
【００２１】
またこの場合、固定側制動部および可動側制動部は、それぞれ、ロール体の外周部端面
に転接するローラーを含む、トルクリミッターを有していることが好ましい。
【００２２】
そして、ローラーは、ロール体の外周部端面に転接する第１ローラーと、ロール体の外
周面に接触し且つ第１ローラーの径より大きな径の第２ローラーと、で構成されているこ
とが好ましい。
【００２３】
また、回転制動部は、固定側制動部および可動側制動部を支持する制動支持部を、更に
有し、径方向移動部は、制動支持部を上下径方向にスライド可能に支持する径方向ガイド
を有し、回転制動部は、径方向ガイドに案内され自重により径方向に移動することが好ま
しい。
【００２４】
さらに、ロール体支持部は、ロール体のコアが固定された支持軸部と、支持軸部を回転
可能に且つ軸方向にスライド可能に軸支する軸受部と、を有していることが好ましい。
【図面の簡単な説明】
【００２５】
【図１】実施形態に係る記録装置を模式的に表した側面図である。
【図２】実施形態に係る記録装置の主要部を模式的に表した平面図である。
【図３】繰出し部における繰出し軸および制動ユニット廻りの正面図である。
【図４】繰出し部おける繰出し軸および制動ユニット廻りの側面図である。
【図５】繰出し軸におけるロール紙径−トルク線図である。
【発明を実施するための形態】
【００２６】
以下、添付の図面を参照して、本発明の一実施形態に係るロール紙供給装置およびこれ
を備えた記録装置について説明する。この記録装置は、ロール紙供給装置によりロール・
ツー・ロールで除給材されるロール紙に、インクジェット方式で所望の画像等を印刷（記
録）するものである。以下、ロール紙の送り方向をＸ軸方向とし、Ｘ軸方向に直交する方
向をＹ軸方向として説明を進める。
【００２７】
図１は記録装置の側面図であり、図２は記録装置の主要部の平面図である。両図に示す
ように、記録装置１は、上端部にベースプレート３を有する機台２と、機台２上に配置さ
れ、ロール紙Ｐに印刷を行う印刷部４（記録部）と、印刷部４を覆うように機台２上に設
けた安全カバー５と、ロール紙Ｐを繰り出して印刷部４に給紙する繰出し部６と、印刷部
４から送り出されたロール紙Ｐを巻き取る巻取り部７と、を備えている。
なお、ロール紙Ｐは、繰出し部６において、ロール紙ＰをコアＰＣに巻回したロール体
ＰＰから繰り出され（図３参照）、またロール紙Ｐは、巻取り部７においてコアＰＣに巻
回するように巻き取られる。
【００２８】
印刷部４は、インクジェットヘッドで構成された複数の記録ヘッド１２を有するキャリ
ッジユニット１１と、キャリッジユニット１１をロール紙Ｐの送り方向であるＸ軸方向に
移動させるＸ軸テーブル１３と、Ｘ軸テーブル１３に搭載され、キャリッジユニット１１
をＹ軸方向に微小に移動させるＹ軸テーブル（図示省略）と、キャリッジユニット１１に
対峙するようにベースプレート３上に配設されたプラテン１５と、ロール紙Ｐを、繰出し
部６からプラテン１５に送り込む（給紙）と同時にプラテン１５から巻取り部７に送り出
す（排紙）紙送り機構１６と、を有している。なお、上記のロール紙供給装置は、繰出し
部６、紙送り機構１６および巻取り部７により構成されている。
【００２９】
プラテン１５の上面全域は、印刷部４により印刷が行われる印刷エリア１７となってお
り、ベースプレート３上において、印刷エリア１７の上流側には保守エリア１８が、下流
側には作業エリア１９が、それぞれ設けられている。保守エリア１８には、記録ヘッド１
２を保守するための吸引ユニットやワイピングユニット等から成るメンテナンス機構２０
が配設されている。なお、作業エリア１９は、オペレーターによる記録ヘッド１２の交換
作業等に用いられる。
【００３０】
プラテン１５は、ロール紙Ｐを吸着するための多数の吸引口（図示省略）を有する吸引
プレート２１と、吸引プレート２１の下側に構成した吸引チャンバー２２と、吸引チャン
バー２２の一方の端部に設けた吸引ファン２３と、を有している。吸引ファン２３は、上
記の紙送り機構１６に同期して駆動され、紙送り機構１６が停止しているときにはＯＮし
て、吸引プレート２１上にロール紙Ｐを吸着する一方、紙送り機構１６が駆動していると
きにはＯＦＦしてロール紙Ｐの送りを許容する。
【００３１】
キャリッジユニット１１は、複数の記録ヘッド１２と、複数の記録ヘッド１２を保持す
るキャリッジ２５とを有している。各記録ヘッド１２には、それぞれが１の印刷ラインを
構成する色別複数のノズル列が設けられており、各色のインクを吐出してカラー印刷が行
われる。一方、安全カバー５には、バルブユニット２６が取り付けられており、図外のイ
ンクタンクからこのバルブユニット２６を介して、各色のインクか複数の記録ヘッド１２
に供給される。
【００３２】
このように構成された印刷部４では、繰出し部６から供給されプラテン１５に吸着され
たロール紙Ｐに対し、キャリッジユニット１１に搭載された複数の記録ヘッド１２が、Ｘ
軸テーブル１３およびＹ軸テーブルにより、Ｘ・Ｙ方向に移動しながらインクを選択的に
吐出して、所望の印刷が行われる。印刷が完了すると、ロール紙Ｐの印刷済み部分（印刷
エリア１７分）が下流（巻取り部７側）に送り出され、新たにロール紙Ｐの未印刷部分が
プラテン１５に送り込まれる。すなわち、実施形態の印刷部４では、プラテン１５上のロ
ール紙Ｐに対し、印刷エリア１７分の印刷と印刷エリア１７分の送りとが交互に間欠的に
行われる。
【００３３】
紙送り機構１６は、プラテン１５を挟んで上流側に配設された給紙ローラー群３１と、
下流側に配設された排紙ローラー群３２とを備えている。給紙ローラー群３１は、繰出し
部６からプラテン１５に至るロール紙Ｐの送り経路を長く執り得るように（送り経路を屈
曲させる）、且つ送り経路が保守エリア１８と干渉しないように、主に保守エリア１８の
下方の機台２内に配設されている。同様に、排紙ローラー群３２は、プラテン１５から巻
取り部７に至るロール紙Ｐの送り経路を長く執り得るように、且つ送り経路が作業エリア
１９と干渉しないように、主に作業エリア１９の下方の機台２内に配設されている。
【００３４】
給紙ローラー群３１は、繰出し部６から送り込まれたロール紙Ｐを、機台２内において
下方に経路変更する給紙側第１ローラー３３と、給紙側第１ローラー３３の下流側に配設
され、ロール紙Ｐを上方に経路変更する給紙側第２ローラー３４と、給紙側第２ローラー
３４の下流側においてプラテン１５の上流側近傍に配設され、ロール紙Ｐをプラテン１５
に送り込む給紙ローラー３５と、を有している。
【００３５】
給紙側第１ローラー３３および給紙側第２ローラー３４は、フリーローラーで構成され
、給紙ローラー３５は、モーター駆動のニップローラーで構成されている。給紙ローラー
３５の駆動により、繰出し部６から繰り出されたロール紙Ｐは、「Ｖ」字状の経路を経て
蛇行等が矯正された後、プラテン１５に送り込まれる。
【００３６】
一方、排紙ローラー群３２は、プラテン１５の下流側近傍に配設され、プラテン１５か
ら送り出されたロール紙Ｐを下方に経路変更する排紙側第１ローラー３６と、排紙側第１
ローラー３６の下流側に配設され、ロール紙Ｐを略水平方向に経路変更する排紙側第２ロ
ーラー３７と、排紙側第２ローラー３７の下流側に配設され、ロール紙Ｐを上方に経路変
更する排紙側第３ローラー３８と、排紙側第３ローラー３８の下流側に配設され、ロール
紙Ｐを巻取り部７に向かって排紙する排紙ローラー３９と、有している。
【００３７】
排紙側第１ローラー３６、排紙側第２ローラー３７および排紙側第３ローラー３８は、
フリーローラーで構成され、排紙ローラー３９は、モーター駆動のニップローラーで構成
されている。排紙ローラー３９は、給紙ローラー３５と同期して駆動し、その駆動により
、プラテン１５から送り出されたロール紙Ｐは、「Ｕ」字状の経路を経て蛇行等が矯正さ
れながら、巻取り部７側に送り出される。
【００３８】
このように構成された紙送り機構１６では、プラテン１５上のロール紙Ｐに対し、印刷
エリア１７に相当する単位印刷領域分の印刷が完了すると、給紙ローラー３５および排紙
ローラー３９が同期して回転する。これにより、プラテン１５の上流側では、バックテン
ションを付与された状態で、ロール紙Ｐが単位印刷領域分、プラテン１５に送り込まれる
。また同時に、プラテン１５の下流では、フォワードテンションを付与された状態で、プ
ラテン１５からロール紙Ｐが単位印刷領域分、送り出される。
【００３９】
なお、図示では省略したが、プラテン１５上にはロール紙Ｐの幅方向の位置を規制する
幅ガイドが設けられている。また、給紙ローラー３５および排紙ローラー３９では、エン
コーダー等による制御が実施され、ロール紙Ｐが精度良く送られる。したがって、プラテ
ン１５上にはロール紙Ｐが位置精度良く供給され、且つ平坦に吸着される。これにより、
ペーパーギャップが精度良く維持され、高品質の印刷が実施される。
【００４０】
巻取り部７は、上記の排紙ローラー３９に対峙する巻取り側中間ローラー４１と、巻取
り側中間ローラー４１を介して送り込まれたロール紙Ｐをロール状に巻き取る巻取り軸４
２と、これら巻取り側中間ローラー４１および巻取り軸４２を支持する巻取り側フレーム
４３と、を有している。巻取り軸４２には、図外のモーターが連結されており、巻取り軸
４２は、モーター駆動によりロール紙Ｐをロール状に巻き取る。
【００４１】
また、機台２と巻取り部７との間には、バッファー部４５が設けられており、排紙ロー
ラー３９から送り出されたロール紙Ｐは、いったんこのバッファー部４５で自重により下
方に弛み、巻取り側中間ローラー４１を経て巻取り軸４２に巻き取られる。バッファー部
４５には、ロール紙Ｐを検出する上限センサー４６および下限センサー４７が設けられて
おり、下限センサー４７がロール紙Ｐを検出すると巻取り軸４２が巻取りを開始し、その
後上限センサー４６がロール紙Ｐを検出すると巻取り軸４２が巻取りを停止する。
【００４２】
このように、巻取り部７は、バッファー部４５において弛みを生ずるようにバッファリ
ングしたロール紙Ｐを間欠的に巻き取るようにしている。すなわち、上記の紙送り機構１
６により、プラテン１５からロール紙Ｐが単位印刷領域分、間欠的に送り出され、これが
バッファー部４５に順次蓄積される。そして、バッファー部４５に蓄積されたロール紙Ｐ
は、センシングされ適宜巻取り軸４２に巻き取られる。
【００４３】
繰出し部６は、上記の給紙側第１ローラー３３に対峙する繰出し側中間ローラー５１と
、繰出し側中間ローラー５１に向かってロール体ＰＰからロール紙Ｐを繰り出す繰出し軸
５２と、繰出し側中間ローラー５１および繰出し軸５２を支持する繰出し側フレーム５３
と、を有している。繰出し軸５２には、ロール紙ＰをコアＰＣ（紙管）に巻回したロール
体ＰＰが装着されており、上記の給紙ローラー３５の駆動により、給紙ローラー群３１を
介して、ロール体ＰＰからロール紙Ｐが繰り出されてゆく。
【００４４】
また、繰出し部６には、繰り出されてゆくロール紙Ｐにテンション（バックテンション
）を付与すべく、制動ユニット５４が設けられている（詳細は後述する）。制動ユニット
５４は、ロール体ＰＰに接触しロール体ＰＰの回転を制動して、繰り出されてゆくロール
紙Ｐにテンションを付与する。これにより、繰り出されるロール紙Ｐの蛇行が抑制され、
且つロール体ＰＰの慣性により空転が防止される。
【００４５】
ここで、図３の正面図および図４の側面図を参照して、繰出し部６における繰出し軸５
２および制動ユニット５４廻りの構造について、詳細に説明する。
上述のように、繰出し部６には、繰出し側フレーム５３が設けられ、この繰出し側フレ
ーム５３に繰出し軸５２（支持軸部）が回転自在に支持されている。繰出し側フレーム５
３は、ベースフレーム５６と、ベースフレーム５６上に起立する２つのサイドフレーム５
７とを有し、繰出し軸５２は、軸受部５８を介して、２つのサイドフレーム５７に支持さ
れている。また、一方のサイドフレーム５７には、ロール体ＰＰの回転を制動する上記の
制動ユニット５４が取り付けられている。
【００４６】
繰出し軸５２は、軸本体６１と、軸本体６１に設けた２つの固定リング６２とから成り
、２つの固定リング６２の幅寄せにより、軸本体６１にロール体ＰＰが固定されている。
図示では、簡略化して示しているが、各固定リング６２は円錐台形状に形成され、軸本体
６１の任意の位置に固定可能に構成されている。２つの固定リング６２は、そのテーパー
部分を対向させた状態で軸本体６１に取り付けられており、この２つの固定リング６２を
、軸本体６１に装着したロール体ＰＰに位置に合わせて幅寄せし、ロール体ＰＰのコアＰ
Ｃに喰い込ませることで、ロール体ＰＰが軸本体６１に固定されている。
【００４７】
なお、実施形態の繰出し軸５２は、繰出し側フレーム５３に両持ちで支持されているが
、片持ちで支持するようにしてもよい。また、ロール体ＰＰの繰出し軸５２への固定構造
は、任意である。例えば、２つのリングによりロール体ＰＰのコアＰＣを挟持固定する構
造であってもよいし、キー等を用いてコアＰＣを固定する構造であってもよい。
【００４８】
軸受部５８は、例えばボールベアリングとボールスプラインとを兼ねるロータリーボー
ルスプラインで構成されている。すなわち、繰出し軸５２は、ロータリーボールスプライ
ンを介して、２つのサイドフレーム５７対し回転自在に且つ軸方向にスライド自在に支持
されている。これにより、ロール紙Ｐが繰り出されることでロール体ＰＰが繰出し軸５２
と共に回転する。また、後述する回転制動部６５から幅方向の規制を受けることで、ロー
ル体ＰＰが繰出し軸５２と共に軸方向に微小移動する。なお、軸受部５８をボールベアリ
ングとボールスプラインとで構成するようにしてもよい。
【００４９】
制動ユニット５４は、ロール体ＰＰの外周部端面に接触し、ロール体ＰＰの回転を制動
する回転制動部６５と、減径するロール体ＰＰに対応し、回転制動部６５を径方向に移動
させる径方向移動部６６と、を備えている。この場合、回転制動部６５は、ロール体ＰＰ
の回転を制動し、ロール体ＰＰから繰り出されてゆくロール紙Ｐにテンション（バックテ
ンション）を付与する。一方、ロール紙Ｐを繰出して目減りするロール体ＰＰは、徐々に
径が小さくなる（減径する）。そこで、径方向移動部６６は、回転制動部６５を、ロール
体ＰＰの減径に追従するように、且つ制動機能を維持しつつ径方向に移動させる。
【００５０】
回転制動部６５は、ロール体ＰＰの外周部における一方（図示左側）の端面に接触する
固定側制動部６５Ａと、ロール体ＰＰの外周部における他方（図示右側）の端面に接触す
る可動側制動部６５Ｂと、固定側制動部６５Ａおよび可動側制動部６５Ｂを上側から支持
する制動支持部６７と、を有している。固定側制動部６５Ａは、制動支持部６７に固定さ
れ、可動側制動部６５Ｂは、制動支持部６７にスライド自在に支持されている。そして、
可動側制動部６５Ｂは、挟持付勢部６８により固定側制動部６５Ａとの間にロール体ＰＰ
を挟持するように、付勢されている。
【００５１】
固定側制動部６５Ａは、ロール体ＰＰから繰り出されるロール紙Ｐの幅方向（紙幅方向
）の位置基準となるものであり、上記の紙送り機構１６における紙搬送路の一方の端に合
致する位置に配設されている。これにより、ロール紙Ｐは、幅方向に位置においてロール
体ＰＰから位置精度良く繰り出される。例えばロール体ＰＰの巻ズレがあっても、ロール
体ＰＰ自体が固定側制動部６５Ａおよび可動側制動部６５Ｂにより軸方向の位置が規制さ
れるため、幅方向においてロール紙Ｐの繰出し位置が変化することがない。なお、固定側
制動部６５Ａは、制動支持部６７に対し軸方向（Ｙ軸方向）に位置調整可能に取り付けら
れていることが好ましい。
【００５２】
制動支持部６７には、Ｙ軸方向に延在する軸方向ガイド７１が設けられ、可動側制動部
６５Ｂは、軸方向ガイド７１にスライド自在に係合する軸方向スライダー７２に固定され
ている。すなわち、可動側制動部６５Ｂは、ロール体ＰＰを挟持および挟持解除方向（軸
方向）にスライド自在に構成されている。挟持付勢部６８は、例えばばねストロークの長
いコイルばねで構成されている。コイルばねの一端は制動支持部６７に掛止めされ、他端
は軸方向スライダー７２に掛止めされている。これにより、可動側制動部６５Ｂは、固定
側制動部６５Ａに向かって付勢され、可動側制動部６５Ｂと固定側制動部６５Ａとにより
、ロール体ＰＰの外周部が挟持されている。
【００５３】
固定側制動部６５Ａと可動側制動部６５Ｂとは、同一の構造を有しているため、この構
造につき、固定側制動部６５Ａを例に説明する。固定側制動部６５Ａは、ロール体ＰＰの
外周部端面に転接するローラー７５を有するトルクリミッターで構成されている。より具
体的には、固定側制動部６５Ａは、ロール体ＰＰの外周部端面に転接する細径ローラー７
６と、ロール体ＰＰの外周面に転接する太径ローラー７７と、これら細径ローラー７６お
よび太径ローラー７７を回転自在に支持するローラー軸７８と、これら細径ローラー７６
および太径ローラー７７の内部に組み込まれた制動機構（図示省略）と、で構成されてい
る。
【００５４】
そして、固定側制動部６５Ａのローラー軸７８は、制動支持部６７に固定され、可動側
制動部６５Ｂのローラー軸７８は、軸方向スライダー７２に固定されている。固定側制動
部６５Ａおよび可動側制動部６５Ｂの各細径ローラー７６は、ロール体ＰＰの外周部端面
に転接して、制動機構による制動力をロール体ＰＰに伝達し、ロール体ＰＰの回転を制動
する。また、各太径ローラー７７は、ロール体ＰＰの外周面に当接し、制動機構による制
動力をロール体ＰＰに伝達すると共に、減径するロール体ＰＰに対し回転制動部６５の位
置を整合させる。
【００５５】
このように、本実施形態では、ロール体ＰＰと固定側制動部６５Ａや可動側制動部６５
Ｂとの摩擦で制動を行うものではないため、ロール体ＰＰの紙質等に影響されることなく
、安定して制動力を付与することができる。もっとも、制動力をロール体ＰＰに的確に伝
達するためには、細径ローラー７６（や太径ローラー７７）がスリップ回転しないことが
求められる。したがって、細径ローラー７６および太径ローラー７７のうち、少なくとも
細径ローラー７６は、ゴムローラー或いはゴム張りローラーとすることが好ましい。また
、細径ローラー７６は、ロール体ＰＰが極端に減径しても転接状態を適切維持すべく、偏
平な形状とすることが好ましい。さらに、細径ローラー７６と太径ローラー７７とは、一
体に形成されていることが好ましい。
【００５６】
径方向移動部６６は、制動支持部６７を片持ちで支持する径方向スライダー８１と、一
方のサイドフレーム５７に固定され、鉛直方向に延びる径方向ガイド８２と、を有してい
る。径方向ガイド８２は、繰出し軸５２の軸心から鉛直に延びる線上に配設されており、
回転制動部６５は、径方向ガイド８２に案内されて、自重により径方向に移動する。すな
わち、減径するロール体ＰＰに対し回転制動部６５は、常にその２つの太径ローラー７７
がロール体ＰＰの外周面に当接する位置に移動する。
【００５７】
なお、径方向ガイド８２は、必ずしも鉛直方向に延びるものでなくてもよい。もっとも
、繰出し部６のスペースの関係で、ロール体ＰＰの上方に回転制動部６５を配置できない
場合には、回転制動部６５の自重による移動は不可能となる。かかる場合には、ロール体
ＰＰの径を検出するセンサーと、回転制動部６５を径方向に移動させる移動機構（例えば
モーターとリードねじ機構の組み合わせ）とを更に設け、センサーの検出結果に基づいて
移動機構を駆動し、回転制動部６５を移動させる（ロール体ＰＰの径に追従）ようにする
ことが好ましい。
【００５８】
このように構成された制動ユニット５４では、紙送り機構１６によりロール体ＰＰから
ロール紙Ｐが繰り出されると、ロール体ＰＰの外周部端面に接触している固定側制動部６
５Ａおよび可動側制動部６５Ｂが、ロール体ＰＰの回転を制動する。固定側制動部６５Ａ
および可動側制動部６５Ｂは、ロール体ＰＰを挟持するように設けられているため、ロー
ル体ＰＰには両側から均一且つ一定の制動力が付与される。また、ロール体ＰＰの減径に
対し、自重により固定側制動部６５Ａおよび可動側制動部６５Ｂが追従するため、繰り出
されてゆくロール紙Ｐに常に一定のバックテンションを付与することができる。
【００５９】
しかも、固定側制動部６５Ａおよび可動側制動部６５Ｂにより、ロール紙Ｐの繰出し起
点が幅方向において一定となり、ロール紙Ｐをロール体ＰＰから位置精度良く繰り出すこ
とができる。したがって、この繰出し精度とバックテンションの協働により、送られてゆ
くロール紙Ｐのジャミングや蛇行が効率良く防止される。
【００６０】
図５は、繰出し軸５２における制御トルク（制動トルク）とロール体ＰＰのロール径と
の関係を表している。同図において、「必要トルク最小値」は、ロール紙Ｐを適切に送る
（蛇行を生じない）ための最低限のバックテンションに対応する制動トルクである。また
、「必要トルク最大値」は、給紙ローラー３５がスリップする限界のバックテンションに
対応する制動トルクである。そして、実施形態の制動ユニット５４により付与される制動
トルク（「制御トルク」）は、「必要トルク最小値」と「必要トルク最大値」の略中間値
となるように設定されている。
【００６１】
言うまでもないが、図示で表した「制御トルク」は、繰出し軸５２に付与される制動ト
ルクであり、ロール径に比例することから、ロール紙Ｐに付与されるバックテンションと
しては一定の値となる。すなわち、ロール体ＰＰのロール径が変化しても、繰り出される
ロール紙Ｐに常に一定のテンションを付与することができる。なお、ロール紙Ｐの紙質や
厚さ等により、「必要トルク最小値」および「必要トルク最大値」は変動する。このため
、固定側制動部６５Ａおよび可動側制動部６５Ｂ（の制動機構）は、その制動力を調整可
能なものとすることが好ましい。
【００６２】
このように、本実施形態によれば、簡単な構造で、繰り出されてゆくロール紙Ｐに一定
値のテンションを付与することができる。また、ロール紙Ｐを紙幅方向において精度良く
繰り出すことができる。したがって、印刷部４に送り込まれるロール紙Ｐのジャミングや
蛇行を有効に防止することができる。
なお、本発明のロール紙供給装置は、実施形態のようなロール・ツー・ロールの送り系
に限らず、排紙側において、ロール紙を単位印刷領域毎にカットする送り系にも適用可能
である。
【符号の説明】
【００６３】
１  記録装置、４  印刷部、６  繰出し部、７  巻取り部、１２  記録ヘッド、１５  
プラテン、１６  紙送り機構、３５  給紙ローラー、３９  排紙ローラー、５２  繰出し
軸、５３  繰出し側フレーム、５４  制動ユニット、５８  軸受部、６１  軸本体、６２
固定リング、６５  回転制動部、６５Ａ  固定側制動部、６５Ｂ  可動側制動部、６６
径方向移動部、６７  制動支持部、６８  挟持付勢部、７１  軸方向ガイド、７２  軸
方向スライダー、７５  ローラー、７６  細径ローラー、７７  太径ローラー、８１  径
方向スライダー、８２  径方向ガイド、Ｐ  ロール紙、ＰＰ  ロール体、ＰＣ  コア
【図１】
2015030545.tif 000003
【図２】
2015030545.tif 000004
【図３】
2015030545.tif 000005
【図４】
2015030545.tif 000006
【図５】
2015030545.tif 000007